(57)【要約】【課題】保存する写真画像の記憶容量を小さくできる画像表示装置及びそのプログラムを提供する。【解決手段】  本発明の画像表示装置及びそのプログラムは、複数の画像を表示するループ画面２と、画像データが保存される画像記憶手段３と、各画像のループ画面上の位置を特定する位置情報特定手段６と、ループ画面を表示する画像表示手段５と、ループ画面に表示される各画像データを比較する画像データ比較手段８とを備え、ループ画面には複数の画像が列状をなして連続的に流れており、画像データ比較手段８で比較した画像データが一致する場合（Ｓ２）には、一方の画像データのみ画像記憶手段３に保存する（Ｓ３）と共に、ループ画面上には位置情報特定手段６により特定したすべての画像を表示する（Ｓ４）。【選択図】図２
2009020770.tif 000002
【特許請求の範囲】
【請求項１】
複数の画像を表示するループ画面と、画像データが保存される画像記憶手段と、各画像のループ画面上の位置を特定する位置情報特定手段と、ループ画面を表示する画像表示手段と、ループ画面に表示される各画像データを比較する画像データ比較手段とを備え、ループ画面には複数の画像が列状をなして連続的に流れており、画像データ比較手段で比較した画像データが一致する場合には、一方の画像データのみ画像記憶手段に保存すると共に、ループ画面上には位置情報特定手段により特定したすべての画像を表示することを特徴とする画像表示装置。
【請求項２】
画像データ比較手段は、各画像データのハッシュ値又はメモリ数により各画像データが一致するか否かを判断することを特徴とする請求項１に記載の画像表示装置。
【請求項３】
ループ画面上の任意の画像をクリックすると画面上に表示されるウインドウ画面と、ウインドウ画面にコメント情報を書き込むコメント入力手段と、コメント入力手段によって入力したコメント情報を記憶するコメント記憶手段とを備え、画像表示手段はコメント記憶手段に記憶されたコメント情報をウインドウ画面に表示することを特徴とする請求項１又は２に記載の画像表示装置。
【請求項４】
画像表示手段には画像記憶手段に保存された画像のファイルが一覧表示されており、ループ画面への画像の表示操作は、所定の画像ファイルをマウスポインタで選択して、マウスポインタをループ画面上に移動させて行うことを特徴とする請求項１〜３の何れか一項に記載の画像表示装置。
【請求項５】
ホストコンピュータと、ホストコンピュータの画像記憶手段内の画像及びコメント記憶手段に記憶されたコメント情報の少なくとも一方をユーザごとに保存する管理サーバと、管理サーバからネットワークを介して送信された画像を表示するクライアントコンピュータとを備え、管理サーバに保存されたユーザごとの画像はクライアントコンピュータで閲覧可能であることを特徴とする請求項１〜４の何れか一項の画像表示装置。
【請求項６】
管理サーバに保存されたループ画面をカテゴリ別に記憶するカテゴリ別記憶手段を備え、ウェブサイト上にはカテゴリが一覧表示されており、所定のカテゴリを選択すると、選択したカテゴリのループ画面がウェブサイト上に表示されることを特徴とする請求項５に記載の画像表示装置。
【請求項７】
請求項１〜６の何れかに記載の画像表示装置を実行することを特徴とするプログラム。
【発明の詳細な説明】
【技術分野】
【０００１】
本発明は、画像表示装置及びプログラムに関する。
【背景技術】
【０００２】
特許文献１には、デジタルカメラ、スキャナ等によって生成された複数の画像をコンピュータのデスクトップ画面上に表示する画像表示装置において、画面上に表示する画像をそれぞれ画像記憶手段内に保存する技術が開示されている。
【０００３】
【特許文献１】特開２００５−１６８０２５号公報
【発明の開示】
【発明が解決しようとする課題】
【０００４】
しかし、上述の特許文献１に記載の従来技術では、画面上に表示する画像をそれぞれ画像記憶手段内に保存しており、複数の同一画像であっても、それぞれ画像を画像記憶手段内に保存している。したがって、画像記憶手段内に保存する写真画像の記憶容量を小さくすることが望まれている。
【０００５】
本発明は、保存する写真画像の記憶容量を小さくできる画像表示装置及びプログラムを提供することを目的としている。
【課題を解決するための手段】
【０００６】
前記課題を解決するために、請求項１に記載された発明は、複数の画像を表示するループ画面と、画像データが保存される画像記憶手段と、各画像のループ画面上の位置を特定する位置情報特定手段と、ループ画面を表示する画像表示手段と、ループ画面に表示される各画像データを比較する画像データ比較手段とを備え、ループ画面には複数の画像が列状をなして連続的に流れており、画像データ比較手段で比較した画像データが一致する場合には、一方の画像データのみ画像記憶手段に保存すると共に、ループ画面上には位置情報特定手段により特定したすべての画像を表示することを特徴とする。
【０００７】
請求項２に記載された発明は、請求項１に記載の発明において、画像データ比較手段は、各画像データのハッシュ値又はメモリ数により各画像データが一致するか否かを判断することを特徴とする。
【０００８】
請求項３に記載された発明は、請求項１又は２に記載の発明において、ループ画面上の任意の画像をクリックすると画面上に表示されるウインドウ画面と、ウインドウ画面にコメント情報を書き込むコメント入力手段と、コメント入力手段によって入力したコメント情報を記憶するコメント記憶手段とを備え、画像表示手段はコメント記憶手段に記憶されたコメント情報をウインドウ画面に表示することを特徴とする。
【０００９】
請求項４に記載された発明は、請求項１〜３の何れか一項に記載の発明において、画像表示手段には画像記憶手段に保存された画像のファイルが一覧表示されており、ループ画面への画像の表示操作は、所定の画像ファイルをマウスポインタで選択して、マウスポインタをループ画面上に移動させて行うことを特徴とする。
【００１０】
請求項５に記載された発明は、請求項１〜４の何れか一項に記載の発明において、ホストコンピュータと、ホストコンピュータの画像記憶手段内の画像及びコメント記憶手段に記憶されたコメント情報の少なくとも一方をユーザごとに保存する管理サーバと、管理サーバからネットワークを介して送信された画像を表示するクライアントコンピュータとを備え、管理サーバに保存されたユーザごとの画像はクライアントコンピュータで閲覧可能であることを特徴とする。
【００１１】
請求項６に記載された発明は、請求項５に記載の発明において、管理サーバに保存されたループ画面をカテゴリ別に記憶するカテゴリ別記憶手段を備え、ウェブサイト上にはカテゴリが一覧表示されており、所定のカテゴリを選択すると、選択したカテゴリのループ画面がウェブサイト上に表示されることを特徴とする。
【００１２】
請求項７に記載された発明は、請求項１〜６の何れかに記載の画像表示装置を実行することを特徴とする。
【発明の効果】
【００１３】
請求項１に記載の発明によれば、画像データ比較手段で比較した各画像データが一致する場合には、一致する一方の画像データのみ画像記憶手段に保存すると共に画面上には位置情報特定手段により特定したすべての画像を表示するので、画像記憶手段に保存される記憶容量を小さくできる。
【００１４】
請求項２に記載された発明によれば、請求項１に記載の発明と同様の効果を奏すると共に、各画像データのハッシュ値又はメモリ容量により各画像データが一致するか否かを判断するので、容易に画像データを比較することができる。
【００１５】
請求項３に記載された発明によれば、請求項１又は２に記載の発明と同様の効果を奏すると共に、コメント情報を画像と共にウインドウ画面に表示できるので、コメント情報を書き込んだり閲覧したりして、画像を更に楽しむことができる。
【００１６】
請求項４に記載された発明によれば、請求項１〜３の何れか一項に記載の発明と同様の効果を奏すると共に、ループ画面に画像をアップロードする際には所定の画像のファイルをマウスでドラッグし、ドラッグしたファイルをループ画面上でドロップして画像を表示するので、画像のアップロード作業が容易である。
【００１７】
請求項５に記載された発明によれば、請求項１〜４の何れか一項に記載の発明と同様の効果を奏すると共に、管理サーバに保存されたユーザごとの画像をクライアント装置で閲覧できるので、インターネットを通じて多くの人が画像を見ることができる。
【００１８】
請求項６に記載された発明によれば、請求項５に記載の発明と同様の効果を奏すると共に、ウェブサイト上にはカテゴリが一覧表示されており、所定のカテゴリを選択すると、選択したカテゴリのループ画面が表示されるので、ユーザは嗜好に応じた画像を選択でき、より効果的に画像を閲覧できる。
【００１９】
請求項７に記載された発明によれば、請求項１〜６の何れか一項に記載の発明と同様の効果を奏することができる。
【発明を実施するための最良の形態】
【００２０】
以下に、添付図面を参照して、本発明の実施の形態を詳細に説明する。尚、図１は本発明の第１実施の形態に係る画像表示装置の制御ブロック図、図２は第１実施の形態に係る画像表示装置の制御動作を示すフローチャート、図３は第１実施の形態に係る画像表示装置の外観構成を示す図、図４は図３に示すループ画面を拡大して示す図、図５はコメント情報が表示されるウインドウ画面を示す図、図６は写真画像のアップロード方法を示す概略図である。
【００２１】
第１実施の形態に係る画像表示装置１は、コンピュータの画面上で複数の写真画像（画像）１１ａ〜１１ｅを連続的に流れるようにループ画面２に表示するものであり、ループ画面２が表示される表示部（画像表示手段）５と、文字入力操作やマウス操作を行う操作部９と、ループ画面の制御プログラム７やデジタルカメラ等で撮影された写真画像等が記憶される記憶部１０と、各種制御を行う制御部（画像データ比較手段）８を備えている。ループ画面の制御プログラム７には画像データが保存される画像記憶手段３と、コメント記憶手段４と、位置情報特定手段６を備えている。
【００２２】
ループ画面２は短冊状であり、複数の写真画像１１ａ〜１１ｅが列状に貼り付けられる画像貼り付け部１１と、画像貼り付け部１１の上部に設けられたタイトルバー１３と、画像貼り付け部１１の下部に設けられるツールバー１５とを備えている。タイトルバー１３はバーを出没自在に表示するバー操作部１３ａ、ループ画面２を縮小表示させる縮小表示部１３ｂ、ループ画面２を拡大表示させる拡大表示部１３ｃ、ループ画面の制御プログラム７のアプリケーションを終了させるアプリケーション終了部１３ｄを備える。尚、タイトルバー１３はマウス９ａをダブルクリックすることで拡大表示するようになっている。
【００２３】
ツールバー１５にはループ画面２に表示される写真画像１１ａ〜１１ｅのコントーラ１６を設けてあり、コントーラ１６の操作により写真画像１１ａ〜１１ｅを左右にスキップ表示させたり、写真画像１１ａ〜１１ｅの移動を一時停止させたりしている。また、ツールバー１５にはループ画面２を作成する画面にリンクしたアイコン（Loop作成）１５ａ、ループ画面２に他のユーザを招待するためのアイコン（Loopに招待）１５ｂ、保存されたループ画面の一覧を表示させるアイコン（PlayLoop一覧）１５ｃ、後述するパブリックスペースにリンクしたアイコン１５ｄ、ユーザスペースにリンクしたアイコン１５ｅ、プロフィール編集、システム設定等のオプション設定画面にリンクしたアイコン１５ｆを備えている。
【００２４】
ツールバー１５の左右端部にはつまみ部１７が設けられており、つまみ部１７をドラッグしてマウス８を左右に動かすことで、ループ画面２を伸縮自在にしている。
【００２５】
各写真画像１１ａ〜１１ｅは図５に示すウインドウ画面２１にリンクしており、例えば図４に示す写真画像（Ｐhoto１）１１ａをクリックするとウインドウ画面２１が表示される。ウインドウ画面２１は写真画像１１ａのタイトル２１ａ、写真画像１１ａに関する説明文２１ｂ、コメント書き込み欄２１ｃ、写真画像１１ａの評価を行う画像評価欄２１ｄ、コメント書き込み欄２１ｃに書き込んだコメント情報及び写真画像１１ａの評価を反映させる送信ボタン２１ｅ、操作部９の操作によりコメント書き込み欄２１ｃに書き込んだコメント情報を表示させるコメント表示欄２１ｆを備える。尚、コメント書き込み欄２１ｃに書き込んだコメント情報は図１に示すコメント記憶手段４に保存される。
【００２６】
次に、ループ画面への写真画像のアップロード方法について説明する。図６に示すように、ループ画面２へ写真画像をアップロードする際には、コンピュータのＨＤＤ（記憶部）等に保存された写真画像のファイル一覧２２を開く。そしてファイル一覧２２の中からアップロードしたい写真画像をマウスで選択（ドラッグ）し、そのままループ画面２まで選択したファイルを移動させる。そして、ドラッグした写真画像をループ画面２上でドロップしてループ画面２へのアップロードが完了する。
【００２７】
次にループ画面２にアップロードされる写真画像の保存について説明する。新たに写真画像がループ画面２に貼り付けられるとき、制御部８において、新規にアップロードされる写真画像と画像記憶手段３内にすでに保存された写真画像データのハッシュ値とが比較される（図２のステップＳ１）。次のステップＳ２では、比較した写真画像データのハッシュ値が一致するか否か判断され、ハッシュ値が一致する場合は、新規にアップロードされる写真画像データは画像記憶手段３に保存されない（ステップＳ３）。但し、ハッシュ値が一致する場合、ループ画面２にはハッシュ値が一致するそれぞれの写真画像が位置情報特定手段６で特定された位置に表示される（ステップＳ４）。ハッシュ値とは、画像データ（ビット列）をハッシュ関数の計算で得られる、決まった長さのビット列をいう。
【００２８】
第１実施の形態では、制御部（画像データ比較手段）８で比較した各写真画像データが一致する場合には、一方の写真画像データのみ画像記憶手段３に保存すると共に、ループ画面２にはそれぞれの写真画像を表示するので、画像記憶手段３に保存される写真画像の記憶容量を小さくできる。
【００２９】
各写真画像データのハッシュ値により各写真画像データが一致するか否かを判断するので、容易に画像データを比較することができる。
【００３０】
コメント情報を写真画像と共にウインドウ画面２１に表示できるので、コメント情報を書き込んだり閲覧したりして、写真画像を更に楽しむことができる。
【００３１】
ループ画面２に写真画像をアップロードする際には、所定の写真画像のファイルをマウスでドラッグし、ドラッグしたファイルをループ画面２上でドロップして写真画像をループ画面２に表示するので、写真画像のアップロード作業が容易である。
【００３２】
次に、他の実施の形態を説明するが、以下の説明において、上述した第１実施の形態と同一の作用効果を奏する部分には同一の符号を付することにより、その部分の詳細な説明を省略し、以下の説明では上述の第１実施の形態と異なる点を主に説明する。図８〜図２０を用いて第２実施の形態について説明する。
【００３３】
第２実施の形態では、ホストコンピュータで作成されたループ画面を、インターネットを介してクライアントコンピュータで閲覧できる点が第１実施の形態と異なる。また、第２実施の形態では、ループ画面２が図８等に示すように、ウェブサイト４０内に取り込まれた形で表示される。図７に示すように第２実施の形態に係る画像表示装置１は、ホストコンピュータ３１、クライアントコンピュータ３３、管理サーバ３５、これらをつなぐインターネット回線３０を備える。管理サーバ３５内には、制御部３６及び記憶部３７を備えており、記憶部３７内には図８等に示すウェブサイト４０の制御プログラムが保存されている。
【００３４】
次に、ウェブサイト４０の詳細について説明する。図８はウェブサイト４０のトップページ画面を示す。図８に示すようにウェブサイト４０のトップページ画面４１には各ページとリンクした画像やアイコン等が表示されている。詳細には主要ページとリンクした主要ページリンク部４２、企業等が作成した宣伝用のループ画面を表示する宣伝用ループ画面４３、管理サーバ３５内に記憶された宣伝用のループ画面２を所定のキーワード入力により検索するループ画面検索部４４、ループ画面についての使用方法や注意書き等を記載したページ（「MyLoopについて」）にリンクした使用方法説明部４５、後述のパブリックスペース画面５０にリンクしたパブリックスペースリンク部４６、新規登録のためのログイン画面にリンクしたログイン画面リンク部４７、ループ画面２のプログラムをダウンロードするダウンロード部４８を備えている。
【００３５】
次に図９〜図１１にてパブリックスペース画面について説明する。パブリックスペース画面５０はクライアントコンピュータ３３及びホストコンピュータ３１からアクセス可能な画面である。パブリックスペース画面５０にはループ画面２をカテゴリ別に表示するカテゴリ表示部５１、ループ画面２を表示するループ画面表示部５２、企業が作成した最新のループ画面のサムネイル画像及びタイトルを表示する企業最新情報表示部５３、個人が作成した最新のループ画面のサムネイル画像及びタイトルを表示する個人最新情報表示部５４、更新されたループ画面のサムネイル画像及びタイトルを表示する更新情報表示部５５を備えている。
【００３６】
カテゴリ表示部５１は例えば、芸能人に関連するカテゴリ（カテゴリＡ）、グルメ情報に関連するカテゴリ（カテゴリＢ）のように分類される。またカテゴリＡは更に、女優（カテゴリＡ０１）、男優（カテゴリＡ０２）、お笑い（カテゴリＡ０３）、アイドル（カテゴリＡ０４）のように細分化される。カテゴリＢは更に、和食（カテゴリＢ０１）、中華（カテゴリＢ０２）、イタリアン（カテゴリＢ０３）、フレンチ（カテゴリＢ０４）のように細分化される。これら細分化されたループ画面の情報は図７に示すカテゴリ別記憶手段３７ａ内に保存されている。
【００３７】
図１０はループ画面をカテゴリ別に表示するカテゴリページ画面を示す図である。図１０に示すように、カテゴリ一覧５１の中からカテゴリＡ０１が選択されると、カテゴリＡ０１に関連するループ画面２がループ画面表示部５２に表示される。またループ画面表示部５２の下にカテゴリＡ０１に保存されているループ画面２がカテゴリ詳細画面５６に一覧表示される。カテゴリ詳細画面５６ではループ画面２のサムネイル画像、タイトル、作成者名、登録数、アップロードされた日時等が表示される。そしてカテゴリ詳細画面５６の中から所定のサムネイル画像５６ａをクリックすると、図１１に示す画面が表示される。
【００３８】
図１１に示す画面では図１０においてクリックしたサムネイル画像５６ａの詳細が表示される。即ち図１１に示す画面ではサムネイル画像５６ａのタイトルテキスト及び説明テキストが表示されるテキスト画面５７と、サムネイル画像５６ａを拡大して一覧表示させる写真画像一覧画面５８とが表示される。またテキスト画面５７の上部のループ画面表示部５２にはカテゴリＡに関連するループ画面２が表示される。
【００３９】
次に、図１２〜図２０にてユーザスペース画面について説明する。ユーザスペース画面６０はホストコンピュータ３１からアクセス可能な画面である。ユーザスペース画面６０の画面左側にはプロフィール表示部６１が設けられている。プロフィール表示部６１にはユーザ画像６１ａ、ユーザ名６１ｂ、ユーザの友人の写真画像の一部が表示される友人写真画像表示部６１ｃ、自己紹介が表示される自己紹介表示部６１ｄが設けられている。またユーザ画像６１ａは画像変更６１ｅのテキストをクリックして画像変更することができる。また、ユーザスペース画面６０の右側にはユーザが登録したループ画面２の中で、更新されたループ画面２を表示する更新画面表示部６２と、最新の友人のループ画面２を表示する画面６３とが設けられている。
【００４０】
図１３に示す写真画像は図１２に示す友人写真画像表示部６１ｃにある「一覧を見る」ボタン６１ｆをクリックすると表示される。友人の写真画像６１ｃにはそれぞれユーザ名６５が表示されていると共に、その下には「友達から外す」ボタン６６が設けられている。「友達から外す」ボタン６６をクリックすると、別画面で「本当に友達から外しますか？」とアラート表示画面が出され、「ＯＫ」を選択すると友人の写真画像６１は登録が解除される。図１４は更新画面表示部の詳細を表示した画面である。図１４に示すように、サムネイル画像の右側にはループ画面を表示するか否か選択する（表示「Play」、非表示「Stop」）表示選択部６２ａ、登録したループ画面２の編集画面とリンクした編集ボタン６２ｂ、ループ画面２の登録を解除する解除ボタン６２ｃを備えている。
【００４１】
図１５においてループ画面の編集について説明する。図１５に示す画面の左側にはループ画面の作成者の写真画像等が表示されるプロフィール部６７ａ、ループ画面をアプリケーションに表示するか否か選択するループ表示選択部６７ｂ、ループ画面の登録を解除する解除ボタン６７ｃ、写真画像をアップロードするアップロード部６７ｄ、友人に招待メールを送信するLoop招待ボタン６７ｅ、ブログ生成を行う画面にリンクしたブログパーツ作成ボタン６７ｆ、ユーザが作成したループ画面のタイトルを生成するタイトルテキストエリア６７ｇ、ループ画面の説明文を生成する説明文テキストエリア６７ｈ、ループ画面に表示される写真画像の一覧画面６７ｉを備える。タイトルテキストエリア６７ｇに生成したループ画面のタイトル、及び説明文テキストエリア６７ｈに生成したループ画面の説明文は保存ボタン６７ｊをクリックして保存する。
【００４２】
図１６はループ画面の画像単位の編集及びコメント機能について説明する。画面中央にはループ画面の一画像を表示する画像表示領域６８ａが設けられており、その下部には画像を拡大表示させる拡大表示ボタン６８ｂが設けてある。また画像表示領域６８ａの下方には画像の説明文を作成するテキストエリア６８ｃが設けてあり、その下方の保存ボタン６８ｄをクリックして説明文を保存する。画面右側には画像に対するコメントを入力する入力フォーム６９ａと画像評価を行う画像評価選択フォーム６９ｂが設けられており、送信ボタン６９ｃをクリックすると、その内容がコメント表示領域６９ｄに表示される。
【００４３】
次に、図１７から図２０にてループ作成の詳細について説明する。ループ作成画面ではまず、ステップ１として図１７に示す画像選択画面７０が表示される。画像選択画面７０には画像選択のための複数の画像選択フォーム７０ａ〜７０ｅが設けられており、各画像選択フォーム７０ａ〜７０ｅの隣接位置にある参照ボタン７０ｆをクリックすると、画像ファイルの一覧画面が表示される。係る一覧画面の中から画像選択フォーム７０ａ〜７０ｅに入力する画像ファイルを選択する。そして、画面下部の「次へ」のボタン７０ｃをクリックすると、図１８に示すステップ２の画面に進む。尚、各画像選択フォーム７０ａ〜７０ｅはそれぞれ図４に示すＰhoto１〜Ｐhoto５に対応しており、画像位置特定手段６により例えば最上部の画像選択フォーム７０ａに入力された画像ファイルは図４のＰhoto１に貼り付けられる。
【００４４】
ステップ２の画面ではループ画面の大カテゴリ項目の選択、小カテゴリ項目の選択、ループ画面のタイトル名の入力、ループ画面の説明文の入力を行う。大カテゴリ項目の選択フォーム７１ａ、小カテゴリ項目の選択フォーム７１ｂ、タイトル名の入力フォーム７１ｃ、説明文の入力フォーム７１ｄへの入力が終了したあと、画面下部の「次へ」のボタン７１ｆをクリックすると、図１９に示すステップ３の画面に進む。また画面下部の「戻る」のボタン７１ｅをクリックすると、図１７に示すステップ１の画面に戻る。
【００４５】
図１９に示すステップ３の画面では、ステップ２で入力した情報の確認を行う。ステップ２で入力した大カテゴリ項目、小カテゴリ項目、タイトル名、説明文が各フォーム７２ａ〜７２ｄに表示される。また説明文の確認フォーム７２ｄの下方には写真画像７２ｅが表示されており、その横側にはコメントの入力フォーム７２ｆが設けられている。そして画面下部の「次へ」のボタン７２ｈをクリックすると、図２０に示すステップ４の画面に進む。また画面下部の「戻る」のボタン７２ｇをクリックすると、図１８に示すステップ２の画面に戻る。図２０に示すステップ４では、ステップ１からステップ３で作成したループ画面２の完了画面を表示する。図２０に示すように、画面上部には作成したループ画面２のサムネイル画像７３ａが表示される。そしてサムネイル画像７３ａの下部にはオプション機能表示部７３ｂが設けられている。オプション機能表示部７３ｂではループ画面を「友人のみ公開、全体に公開、公開しない」の３つの中から選択したり、他人からのコメントの受付の許可・不許可を選択したり等の機能を有している。
【００４６】
第２実施の形態では、管理サーバ３５に保存されたユーザごとの写真画像をクライアントコンピュータ３３で閲覧できるので、インターネットを通じて多くの人が画像を見ることができる。
【００４７】
ウェブサイト４０上にはカテゴリが一覧表示されており、所定のカテゴリを選択すると、選択したカテゴリのループ画面２が表示されるので、ユーザは嗜好に応じた画像を選択でき、より効果的に画像を閲覧できる。
【００４８】
上述のような実施の形態に限定されず、その要旨を逸脱しない範囲内において種々の変形が可能である。
【００４９】
第１実施の形態では、各写真画像データのハッシュ値により各写真画像データが一致するか否かを判断したが、これに限定されず、画像データのメモリ数であっても良い。
【図面の簡単な説明】
【００５０】
【図１】本発明の第１実施の形態に係る画像表示装置の制御ブロック図である。
【図２】第１実施の形態に係る画像表示装置の制御動作を示すフローチャートである。
【図３】第１実施の形態に係る画像表示装置の外観構成を示す図である。
【図４】図３に示すループ画面を拡大して示す図である。
【図５】コメント情報が表示されるウインドウ画面を示す図である。
【図６】写真画像のアップロード方法を示す概略図である。
【図７】本発明の第２実施の形態に係る画像表示装置の全体図である。
【図８】ループ画面を備えたウェブサイトのトップページ画面を示す図である。
【図９】図８に示すウェブサイトのパブリックスペース画面を示す図である。
【図１０】図９に示すループ画面をカテゴリ別に表示するカテゴリページ画面を示す図である。
【図１１】図１０に示すカテゴリページ画面の詳細画面を示す図である。
【図１２】図８に示すウェブサイトのユーザスペース画面を示す図である。
【図１３】図１２に示す友人の写真画像の一覧表示を示す図である。
【図１４】図１２に示す登録したループ画面の詳細を示す図である。
【図１５】ループ画面の編集画面を示す図である。
【図１６】ループ画面の画像単位の編集画面を示す図である。
【図１７】ループ作成画面の画像選択画面（ステップ１）を示す図である。
【図１８】ループ作成画面の情報入力画面（ステップ２）を示す図である。
【図１９】ループ作成画面の入力情報確認画面（ステップ３）を示す図である。
【図２０】ループ作成画面の完了画面（ステップ４）を示す図である。
【符号の説明】
【００５１】
１          画像表示装置
２          ループ画面
３          画像記憶手段
４          コメント記憶手段
５          表示部（画像表示手段）
６          位置情報特定手段
８          制御部（画像データ比較手段）
９          操作部（コメント入力手段）
【図１】
2009020770.tif 000003
【図２】
2009020770.tif 000004
【図３】
2009020770.tif 000005
【図４】
2009020770.tif 000006
【図５】
2009020770.tif 000007
【図６】
2009020770.tif 000008
【図７】
2009020770.tif 000009
【図８】
2009020770.tif 000010
【図９】
2009020770.tif 000011
【図１０】
2009020770.tif 000012
【図１１】
2009020770.tif 000013
【図１２】
2009020770.tif 000014
【図１３】
2009020770.tif 000015
【図１４】
2009020770.tif 000016
【図１５】
2009020770.tif 000017
【図１６】
2009020770.tif 000018
【図１７】
2009020770.tif 000019
【図１８】
2009020770.tif 000020
【図１９】
2009020770.tif 000021
【図２０】
2009020770.tif 000022